(57)【要約】【課題】通風抵抗を増大させない状態でメンテナンス性を向上する。【解決手段】本体と、室内熱交換器と、室内ファンと、吹き出し口に設けられ吹き出し風の向きを変更する上下風向変更羽根と、吹き出し口に設けられ吹き出し風の向きを変更する複数の左右風向変更羽根と、左右風向変更羽根を支持するための支持部材と、支持部材に連結される駆動モータと、を備え、支持部材は、左右風向変更羽根を保持する保持部と、保持部同士を連結する連結桟と、連結桟と駆動モータとを接続する接続部より構成されるものとし、保持部は、風路において接続部よりも上流側に配置されるとともに、連結桟は、風路において接続部よりも下流側に配置される。【選択図】図６
2015055441.tif 000002
【特許請求の範囲】
【請求項１】
本体と、室内熱交換器と、室内ファンと、吹き出し口に設けられ吹き出し風の向きを変更する上下風向変更羽根と、吹き出し口に設けられ吹き出し風の向きを変更する複数の左右風向変更羽根と、前記左右風向変更羽根を支持するための支持部材と、前記支持部材に連結される駆動モータと、を備え、
前記支持部材は、前記左右風向変更羽根を保持する保持部と、前記保持部同士を連結する連結桟と、前記連結桟と前記駆動モータとを接続する接続部より構成されるものとし、
前記保持部は、風路において前記接続部よりも上流側に配置されるとともに、前記連結桟は、風路において前記接続部よりも下流側に配置されることを特徴とする空気調和機。
【請求項２】
前記上下風向変更羽根は補助羽根を備え、前記連結桟は風路において前記補助羽根の上流側に近接することを特徴とする請求項１に記載の空気調和機。
【請求項３】
前記吹き出し口は、両端部が中央部よりも幅狭に構成されていることを特徴とする請求項１または２に記載の空気調和機。
【発明の詳細な説明】
【技術分野】
【０００１】
本発明は、室内の空調を行うための空気調和機に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における左右風向変更羽根としては、例えば、図１０に示すように複数の羽根から構成されるとともに羽根同士を互いに連結して構成したものがある（特許文献１参照）。
【先行技術文献】
【特許文献】
【０００５】
【特許文献１】特開２００９−２９９９９４号公報
【発明の概要】
【発明が解決しようとする課題】
【０００６】
しかしながら、従来の構成では、左右風向変更羽根における羽根同士の連結部が吹出口近傍になることから、吹出口から流れる空気に対して抵抗となるという課題があった。
【０００７】
そこで、本発明は、左右風向変更羽根において羽根同士の連結部分に工夫を施すことによって、左右風向変更羽根と室内機本体との接続部が吹出口から出る空気に対して極力抵抗とならないように構成したものである。
【課題を解決するための手段】
【０００８】
前記課題を達成するために、本発明の一態様によれば、本体と、室内熱交換器と、室内ファンと、吹き出し口に設けられ吹き出し風の向きを変更する上下風向変更羽根と、吹き出し口に設けられ吹き出し風の向きを変更する複数の左右風向変更羽根と、前記左右風向変更羽根を支持するための支持部材と、支持部材に連結される駆動モータと、を備え、支持部材は、左右風向変更羽根を保持する保持部と、保持部同士を連結する連結桟と、連結桟と駆動モータとを接続する接続部より構成されるものとし、保持部は、風路において接続部よりも上流側に配置されるとともに、連結桟は、風路において接続部よりも下流側に配置するようにしたものである。
【発明の効果】
【０００９】
本発明によれば、複雑な構成を取ることなく接続部の通風抵抗を低下させることができ
る。
【図面の簡単な説明】
【００１０】
【図１】本発明に係る一実施の形態の空気調和機における室内機の概略図
【図２】空気調和機における空調運転時の状態を示す概略図
【図３】空気調和機における左右風向変更羽根を示す斜視図
【図４】空気調和機における左右風向変更羽根の構成を示す拡大図
【図５】空気調和機における左右風向変更羽根の断面図
【図６】空気調和機における左右風向変更羽根の拡大図
【図７】空気調和機における連結桟の分解斜視図
【図８】空気調和機における吹出口付近の正面図
【図９】空気調和機における吹出口付近の拡大図
【図１０】従来の空気調和機を示す図
【発明を実施するための形態】
【００１１】
本発明の空気調和機は、本体と、室内熱交換器と、室内ファンと、吹き出し口に設けられ吹き出し風の向きを変更する上下風向変更羽根と、吹き出し口に設けられ吹き出し風の向きを変更する複数の左右風向変更羽根と、左右風向変更羽根を支持するための支持部材と、支持部材に連結される駆動モータと、を備え、支持部材は、左右風向変更羽根を保持する保持部と、保持部同士を連結する連結桟と、連結桟と駆動モータとを接続する接続部より構成されるものとし、保持部は、風路において接続部よりも上流側に配置されるとともに、連結桟は、風路において接続部よりも下流側に配置されるようにしたものである。
【００１２】
これにより、左右風向変更羽根の通風抵抗を極力抑えることができるものである。
【００１３】
また、さらに、上下風向変更羽根は補助羽根を備え、連結桟は風路において補助羽根の上流側に近接するようにしたものである。
【００１４】
これにより、より通風抵抗とならないとともに、補助羽根と一体化されるため、整流作用が働いて騒音を防止することができる。
【００１５】
また、さらに、吹き出し口は、両端部が中央部よりも幅狭に構成されているものである。
【００１６】
これにより、風速を均一化して羽根の振動を抑えることができるものである。
【００１７】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１８】
（実施の形態１）
図１は、本発明に係る一実施の形態の空気調和機における室内機の概略図である。また、図２は、本発明に係る一実施の形態の空気調和機における空調運転時の状態を示す概略図である。また、図３は、空気調和機における左右風向変更羽根を示す斜視図である。
【００１９】
ここで、本体１は、動作中には、図２に示すように動作し、第一の上下風向変更羽根２、第二の上下風向変更羽根３および補助羽根４が開放されるように動作する。そうして、本体１からの送風を行う。この際、上下方向に風向を変更する場合には、第一の上下風向変更羽根２、もしくは、第二の上下風向変更羽根３の角度を変更して行うようにし、左右
方向に風向を変更する場合には、左右風向変更羽根５の角度を変更して行うようにする。なお、補助羽根４は、第一の上下風向変更羽根２の上方に設けられ、第一の上下風向変更羽根２の上面と平行な板状の羽根であり、第一の上下風向変更羽根２の上面に対して垂直な支持部４ａによって支持されている。
【００２０】
図４は、左右風向変更羽根の構成を示す拡大図であり、また、図５は、左右風向変更羽根の断面図であるが、図に示すように、左右風向変更羽根５は、支持部材６を介して、駆動モータ７に接続されるとともに、動作時には駆動モータ７の駆動力により左右の風向を変更するように動作される。組み付けた状態は図６に示すようにしており、支持部材６の単体では図７に示す構成としてある。図に示すように、支持部材６は、左右風向変更羽根５を軸支する保持部８と、保持部同士を連結する連結桟９と、連結桟９と駆動モータ７とを接続する接続部１０より構成されている。支持部材６を本体１に取り付けた際には、保持部８は、風路において接続部１０よりも上流側に配置されるとともに、連結桟９は、風路において接続部１０よりも下流側に配置されるようにしたものである。このような構成とすることによって、支持部材６の連結桟９はより下流側に位置することになる。
【００２１】
本体１から吹出される空気は下流側に向かうにしたがって広がるようになるが、このような流れに対して、遮るように配置される連結桟９をできるだけ下流側に置くようにしたことにより、特に、連結桟９を接続部１０よりも下流側に置くようにするとともに保持部８を接続部１０よりも上流側に配置することにより、左右風向変更羽根５の動作性を損なうことなく、下流側に配置することを可能とした。これにより、左右風向変更羽根５を保持する支持部材６の通風抵抗を極力抑えることができるものである。
【００２２】
（実施の形態２）
本実施の形態は、実施の形態１と異なる部分を説明する。本実施の形態では、実施の形態１に加えて、さらに、連結桟９を、補助羽根４の上流側に近接するようにしたものである。
【００２３】
連結桟９は風路の下流側に設けられているが、風量や本体１の開口部の開口状態によっては、本体１から吹出される空気の流れに乱れを生じさせる場合がある。
【００２４】
これに対し、連結桟９の下流側に、補助羽根４を配置することにより、連結桟９と補助羽根４とが、本体１から吹出される空気の流れに対して、一体化したような状態になり、乱れる領域をより低減できるものである。すなわち、当該構成とすることによって、連結桟９が、より通風抵抗となることを極力抑えることができるとともに、補助羽根４と一体化されることによる整流作用が働いて、本体１の動作時に生じる騒音を防止することができる。
【００２５】
（実施の形態３）
本実施の形態は、実施の形態１もしくは実施の形態２と異なる部分を説明する。図８および図９は、本実施の形態の図を示すものである。本実施の形態は、実施の形態１もしくは実施の形態２に加えて、さらに、吹出口１１に関して、両端部に凸部１２を設けることによって、両端部の幅（図中のＹ）を中央部（図中のＸ）よりも幅狭としたものである。
【００２６】
このようにすることで、中央部は連結桟９により吹出口１１が狭められる一方で、両端部は、本体の筐体部分に凸部を設けることにより、吹出口１１の全体として流速が均一化されることになる。
【００２７】
そうして、第一の上下風向変更羽根２や第二の上下風向変更羽根３が動作するような場合や、吹出しの風速を上げたような場合であっても、風速が均一かされることによって、
羽根のバタつきによる音の発生を防止することができるものである。
【００２８】
なお、左右風向変更羽根５は吹出口１１が狭められていない領域（図中のＸ）に設けることが、羽根のバタつきによる音の発生を防止する上でより望ましい。
【産業上の利用可能性】
【００２９】
本発明の空気調和機は、複雑な構成を取ることなく接続部の通風抵抗を低下させることができるため、業務用及び一般家庭等で使用される空気調和機として有用である。
【符号の説明】
【００３０】
１  本体
２  第一の上下風向変更羽根
３  第二の上下風向変更羽根
４  補助羽根
５  左右風向変更羽根
６  支持部材
７  駆動モータ
８  保持部
９  連結桟
１０  接続部
１１  吹出口
１２  凸部
【図１】
2015055441.tif 000003
【図２】
2015055441.tif 000004
【図３】
2015055441.tif 000005
【図４】
2015055441.tif 000006
【図５】
2015055441.tif 000007
【図６】
2015055441.tif 000008
【図７】
2015055441.tif 000009
【図８】
2015055441.tif 000010
【図９】
2015055441.tif 000011
【図１０】
2015055441.tif 000012